(57)【要約】【課題】位置ずれの解消又は低減を実現可能な画像読み取り装置等を提供することにある。【解決手段】画像を読み取るための画像読み取り装置であって、移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、を有することを特徴とする。【選択図】図１８
2007282047.tif 000002
【特許請求の範囲】
【請求項１】
画像を読み取るための画像読み取り装置であって、
移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、
前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、
を有することを特徴とする画像読み取り装置。
【請求項２】
請求項１に記載の画像読み取り装置において、
前記三つの光電変換部の各々が出力した前記電荷を順次受け取り、該電荷の量に基づいて前記画像の読み取りデータを生成する読み取りデータ生成部、
を有することを特徴とする画像読み取り装置。
【請求項３】
請求項１又は請求項２に記載の画像読み取り装置において、
前記読み取り解像度に反比例させて、前記三つの光電変換部の移動速度の大きさを変化させる移動制御部、
を有することを特徴とする画像読み取り装置。
【請求項４】
請求項３に記載の画像読み取り装置において、
前記三つの光電変換部がＴ秒の周期で定期的に前記電荷を出力する場合には、前記出力制御部は、三つの光電変換部の各々から前記電荷を、Ｔ／３秒づつずらして順番に出力させることを特徴とする画像読み取り装置。
【請求項５】
請求項４に記載の画像読み取り装置において、
前記三つの光電変換部のうちの、互いに隣り合う光電変換部、の間隔をＤインチとし、かつ、
前記三つの光電変換部のうち、前記移動方向において最も下流側に配置されている光電変換部を第１光電変換部、次に下流側に配置されている光電変換部を第２光電変換部、残りの光電変換部を第３光電変換部としたときに、
前記読み取り解像度がＲｄｐｉであり、
数値Ｍ１＝Ｄ−１／（３・Ｒ）と、１／Ｒの整数倍の数のうち数値Ｍ１に最も近い数値Ｍ２と、の差分Ｍ３が、
数値Ｎ１＝Ｄ＋１／（３・Ｒ）と、１／Ｒの整数倍の数のうち数値Ｎ１に最も近い数値Ｎ２と、の差分Ｎ３よりも小さい場合には、
前記出力制御部は、前記三つの光電変換部の各々から前記電荷を昇順に出力させ、
前記差分Ｎ３が前記差分Ｍ３よりも小さい場合には、前記出力制御部は、前記三つの光電変換部の各々から前記電荷を降順に出力させることを特徴とする画像読み取り装置。
【請求項６】
請求項１乃至請求項５のいずれかに記載の画像読み取り装置において、
前記三つの光電変換部の各々は、前記移動方向と直交する直交方向に沿って複数の光電変換素子を備えており、
該複数の光電変換素子の各々が、前記画像からの光を受光して該光の量に応じた量の電荷を定期的に出力することを特徴とする画像読み取り装置。
【請求項７】
画像を読み取るための画像読み取り装置であって、
移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、
前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、
を有し、
前記三つの光電変換部の各々が出力した前記電荷を順次受け取り、該電荷の量に基づいて前記画像の読み取りデータを生成する読み取りデータ生成部、
を有し、
前記読み取り解像度に反比例させて、前記三つの光電変換部の移動速度の大きさを変化させる移動制御部、
を有し、
前記三つの光電変換部がＴ秒の周期で定期的に前記電荷を出力する場合には、前記出力制御部は、三つの光電変換部の各々から前記電荷を、Ｔ／３秒づつずらして順番に出力させ、
前記三つの光電変換部のうちの、互いに隣り合う光電変換部、の間隔をＤインチとし、かつ、
前記三つの光電変換部のうち、前記移動方向において最も下流側に配置されている光電変換部を第１光電変換部、次に下流側に配置されている光電変換部を第２光電変換部、残りの光電変換部を第３光電変換部としたときに、
前記読み取り解像度がＲｄｐｉであり、
数値Ｍ１＝Ｄ−１／（３・Ｒ）と、１／Ｒの整数倍の数のうち数値Ｍ１に最も近い数値Ｍ２と、の差分Ｍ３が、
数値Ｎ１＝Ｄ＋１／（３・Ｒ）と、１／Ｒの整数倍の数のうち数値Ｎ１に最も近い数値Ｎ２と、の差分Ｎ３よりも小さい場合には、
前記出力制御部は、前記三つの光電変換部の各々から前記電荷を昇順に出力させ、
前記差分Ｎ３が前記差分Ｍ３よりも小さい場合には、前記出力制御部は、前記三つの光電変換部の各々から前記電荷を降順に出力させ、
前記三つの光電変換部の各々は、前記移動方向と直交する直交方向に沿って複数の光電変換素子を備えており、
該複数の光電変換素子の各々が、前記画像からの光を受光して該光の量に応じた量の電荷を定期的に出力することを特徴とする画像読み取り装置。
【請求項８】
コンピュータ、及び、
このコンピュータに接続可能な、画像を読み取るための画像読み取り装置であって、移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、を有する画像読み取り装置、
を具備することを特徴とする画像読み取りシステム。
【発明の詳細な説明】
【技術分野】
【０００１】
本発明は、画像読み取り装置、及び、画像読み取りシステムに関する。
【背景技術】
【０００２】
画像を読み取るための画像読み取り装置は、既によく知られている。かかる画像読み取り装置の中には、移動方向に移動しながら、画像からの光の赤色（Ｒ）成分、緑色（Ｇ）成分、及び、青色（Ｂ）成分のうちの一を受光して該光の量に応じた量の電荷を定期的に出力する三つの光電変換部を備えるものがある。当該三つの光電変換部は、移動方向に沿って並んで配置されており、画像の読み取りの際には、前記移動方向に一体的に移動する。また、三つの光電変換部の各々から前記電荷が順番に出力されるように（例えば、Ｒ→Ｇ→Ｂ）、当該出力が制御される。
【特許文献１】特開平７−１１１５６１号公報
【発明の開示】
【発明が解決しようとする課題】
【０００３】
ところで、上述した構成等を有する画像読み取り装置においては、読み取り画素の、移動方向における位置、が三色間でずれてしまう問題（以下、単に、位置ずれとも呼ぶ）が生じ得る。そして、かかる位置ずれは、画質的な問題（例えば、読み込まれた画像がコンピュータ上で再現された際に、再現された画像の画質が劣化することなど）を引き起こすこととなる。
【０００４】
本発明は、かかる課題に鑑みてなされたものであり、その目的とするところは、位置ずれの解消又は低減を実現可能な画像読み取り装置等を提供することにある。
【課題を解決するための手段】
【０００５】
主たる本発明は、画像を読み取るための画像読み取り装置であって、移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、を有することを特徴とする画像読み取り装置である。
【０００６】
本発明の他の特徴については、本明細書及び添付図面の記載により明らかにする。
【発明を実施するための最良の形態】
【０００７】
本明細書及び添付図面の記載により、少なくとも次のことが明らかにされる。
【０００８】
画像を読み取るための画像読み取り装置であって、移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、を有することを特徴とする画像読み取り装置。  
かかる画像読み取り装置によれば、位置ずれが解消又は低減される。
【０００９】
また、前記三つの光電変換部の各々が出力した前記電荷を順次受け取り、該電荷の量に基づいて前記画像の読み取りデータを生成する読み取りデータ生成部、を有することとしてもよい。
【００１０】
また、前記読み取り解像度に反比例させて、前記三つの光電変換部の移動速度の大きさを変化させる移動制御部、を有することとしてもよい。  
かかる場合には、光電変換部の電荷蓄積期間を読み取り解像度によらず一定とすることが可能となるため、電荷蓄積期間を、電荷を蓄積するために十分な長さに設定しやすくなる。
【００１１】
また、前記三つの光電変換部がＴ秒の周期で定期的に前記電荷を出力する場合には、前記出力制御部は、三つの光電変換部の各々から前記電荷を、Ｔ／３秒づつずらして順番に出力させることとしてもよい。  
かかる場合には、ゲートの制御が簡易となる。
【００１２】
また、前記三つの光電変換部のうちの、互いに隣り合う光電変換部、の間隔をＤインチとし、かつ、前記三つの光電変換部のうち、前記移動方向において最も下流側に配置されている光電変換部を第１光電変換部、次に下流側に配置されている光電変換部を第２光電変換部、残りの光電変換部を第３光電変換部としたときに、前記読み取り解像度がＲｄｐｉであり、数値Ｍ１＝Ｄ−１／（３・Ｒ）と、１／Ｒの整数倍の数のうち数値Ｍ１に最も近い数値Ｍ２と、の差分Ｍ３が、数値Ｎ１＝Ｄ＋１／（３・Ｒ）と、１／Ｒの整数倍の数のうち数値Ｎ１に最も近い数値Ｎ２と、の差分Ｎ３よりも小さい場合には、前記出力制御部は、前記三つの光電変換部の各々から前記電荷を昇順に出力させ、前記差分Ｎ３が前記差分Ｍ３よりも小さい場合には、前記出力制御部は、前記三つの光電変換部の各々から前記電荷を降順に出力させることとしてもよい。  
かかる場合には、位置ずれが解消又は低減される効果が、確実に奏されることとなる。
【００１３】
また、前記三つの光電変換部の各々は、前記移動方向と直交する直交方向に沿って複数の光電変換素子を備えており、該複数の光電変換素子の各々が、前記画像からの光を受光して該光の量に応じた量の電荷を定期的に出力することとしてもよい。
【００１４】
また、画像を読み取るための画像読み取り装置であって、移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、を有し、前記三つの光電変換部の各々が出力した前記電荷を順次受け取り、該電荷の量に基づいて前記画像の読み取りデータを生成する読み取りデータ生成部、を有し、前記読み取り解像度に反比例させて、前記三つの光電変換部の移動速度の大きさを変化させる移動制御部、を有し、前記三つの光電変換部がＴ秒の周期で定期的に前記電荷を出力する場合には、前記出力制御部は、三つの光電変換部の各々から前記電荷を、Ｔ／３秒づつずらして順番に出力させ、前記三つの光電変換部のうちの、互いに隣り合う光電変換部、の間隔をＤインチとし、かつ、前記三つの光電変換部のうち、前記移動方向において最も下流側に配置されている光電変換部を第１光電変換部、次に下流側に配置されている光電変換部を第２光電変換部、残りの光電変換部を第３光電変換部としたときに、前記読み取り解像度がＲｄｐｉであり、数値Ｍ１＝Ｄ−１／（３・Ｒ）と、１／Ｒの整数倍の数のうち数値Ｍ１に最も近い数値Ｍ２と、の差分Ｍ３が、数値Ｎ１＝Ｄ＋１／（３・Ｒ）と、１／Ｒの整数倍の数のうち数値Ｎ１に最も近い数値Ｎ２と、の差分Ｎ３よりも小さい場合には、前記出力制御部は、前記三つの光電変換部の各々から前記電荷を昇順に出力させ、前記差分Ｎ３が前記差分Ｍ３よりも小さい場合には、前記出力制御部は、前記三つの光電変換部の各々から前記電荷を降順に出力させ、前記三つの光電変換部の各々は、前記移動方向と直交する直交方向に沿って複数の光電変換素子を備えており、該複数の光電変換素子の各々が、前記画像からの光を受光して該光の量に応じた量の電荷を定期的に出力することを特徴とする画像読み取り装置も実現可能である。  
このようにすれば、既述の総ての効果を奏するため、本発明の目的がより有効に達成される。
【００１５】
また、コンピュータ、及び、このコンピュータに接続可能な、画像を読み取るための画像読み取り装置であって、移動方向に一体的に移動しながら、前記画像からの光の赤色成分、緑色成分、及び、青色成分のうちの一を受光して該光の量に応じた量の電荷を定期的に出力する三つの光電変換部であって、前記移動方向に沿って並んで配置されている三つの光電変換部と、前記三つの光電変換部による電荷の出力、を制御するための出力制御部であって、該三つの光電変換部の各々から前記電荷を順番に出力させ、かつ、前記画像の前記移動方向における読み取り解像度に応じて、前記電荷の出力順を変化させる出力制御部と、を有する画像読み取り装置、を具備することを特徴とする画像読み取りシステムも実現可能である。  
かかる画像読み取り装置によれば、位置ずれが解消又は低減される。
【００１６】
＝＝＝画像読み取り装置の概要＝＝＝
本実施形態に係る画像読み取り装置について、光電変換素子を有するイメージセンサを備えた複合装置１を例に説明する。この複合装置１は、原稿５から画像を読み取って画像データを生成するスキャナ機能と、ホストコンピュータ（不図示）から送られてきた印刷データに基づき印刷用紙等の各種媒体Ｓに印刷を施すプリンタ機能と、原稿５から読み取った画像を媒体Ｓに印刷して複写するローカルコピー機能とを備えている。
【００１７】
図１に複合装置１の外観斜視図を示す。この複合装置１は、その上部に、原稿５から画像を読み取るためのスキャナ部１０を備え、また、その下部には、印刷用紙等の媒体Ｓに印刷をするためのプリンタ部３０を備えている。なお、複合装置１の前面部には、操作パネル２が設けられている。
【００１８】
図２に、スキャナ部１０の概要を説明するための斜視図を示す。スキャナ部１０は、原稿５を載置するための原稿台１１と、この原稿台１１を上方から覆う原稿台カバー１２とを備えている。原稿台１１はガラス板を有し、このガラス板の上面が原稿５を載置する載置面１１ａとなる。原稿台カバー１２は、複合装置１の後端部に揺動可能に取付けられ、前記載置面１１ａを開閉する。
【００１９】
プリンタ部３０は、複合装置１の後部に給紙部４を、また、前部に排紙部３を有する。そして、給紙部４の給紙トレイ８にセットされた印刷用紙等の媒体Ｓに対して順次印刷し、印刷した媒体Ｓを排紙部３の排紙トレイ７へ排紙する。
【００２０】
＝＝＝スキャナ部１０およびプリンタ部３０の内部機構＝＝＝
図３はスキャナ部１０およびプリンタ部３０の内部機構の説明図である。
【００２１】
＜＜＜スキャナ部１０＞＞＞
スキャナ部１０は、図３の上部に示すように、原稿台１１の下側に、スキャナ用キャリッジ６０と、このスキャナ用キャリッジ６０を、原稿台１１の前記載置面１１ａに対して所定の間隔を保ちながら移動方向に移動させる駆動機構６２と、このスキャナ用キャリッジ６０を支持しつつその移動を案内するガイドレール６４とを備えている。
【００２２】
スキャナ用キャリッジ６０には、写真や印刷物等の反射原稿５Ａから画像を読み取るための反射原稿用読み取り部７３Ａと、写真フィルム等の透過原稿５Ｂから画像を読み取るための透過原稿用読み取り部７３Ｂとが設けられている。
【００２３】
反射原稿用読み取り部７３Ａは、前記載置面１１ａに載置された反射原稿５Ａに対し光を照射する反射原稿用光源６６Ａと、反射原稿５Ａにて反射された反射光が入射するレンズ７０Ａと、このレンズ７０Ａを通じて前記反射光を受光し、受光した反射光の量に応じた大きさのアナログ電圧信号を生成するイメージセンサ７２Ａとを有している。反射原稿用光源６６Ａは、例えばＲＧＢの三色の発光ダイオード（以下、ＬＥＤと言う）である。そして、各色のＬＥＤが順番に切り替わりながら発光して、赤色（Ｒ）、緑色（Ｇ）、及び、青色（Ｂ）の光が所定周期で順次発せられ、これによって、反射原稿５Ａからの反射光（反射原稿上の画像からの反射光）はＲＧＢの各色成分に色分解された状態で前記イメージセンサ７２Ａに入射する。そして、イメージセンサ７２Ａは、受光した反射光の量に応じた大きさのアナログ電圧信号を生成する。
【００２４】
一方、透過原稿用読み取り部７３Ｂは、前記載置面１１ａに載置された透過原稿５Ｂを透過した透過光が入射するレンズ７０Ｂと、このレンズ７０Ｂを通じて前記透過光を受光し、受光した透過光の量に応じた大きさのアナログ電圧信号を生成するイメージセンサ７２Ｂとを有している。但し、この透過原稿用読み取り部７３Ｂの光源（以下、透過原稿用光源と言う）６６Ｂは、水銀ランプ等の白色光を発する白色光源であり、透過原稿５Ｂを透過した透過光（透過原稿５Ｂ上の画像からの光）は、ＲＧＢの各色成分に色分解されていない状態で前記イメージセンサ７２Ｂに入射する。また、この透過原稿用光源６６Ｂは、スキャナ用キャリッジ６０ではなく、原稿台カバー１２の裏面に収容されており、もって、この原稿台カバー１２が前記載置面１１ａを覆った状態において、透過原稿５Ｂに光を透過可能な状態になる。
【００２５】
図３に示すように、駆動機構６２は、スキャナ用キャリッジ６０に接続されたタイミングベルト７４と、このタイミングベルト７４が掛け渡された一対のプーリ７５、７６と、一方のプーリ７５を回転駆動する駆動モータ７７とを備えている。駆動モータ７７は、制御部５０からの制御信号によって駆動制御される。
【００２６】
＜＜＜プリンタ部３０＞＞＞
プリンタ部３０は、図３の下部に示すように、プリンタ用キャリッジ４１と、このプリンタ用キャリッジ４１に搭載されたヘッド２１と、プリンタ用キャリッジ４１を媒体Ｓに対して所定の間隔を保持しつつ相対的に平行に移動させる駆動機構２４と、媒体Ｓをプリンタ用キャリッジ４１の移動方向と直交する方向に沿って搬送する搬送機構３６とを備えている。
【００２７】
プリンタ用キャリッジ４１には、カートリッジ装着部が設けられ、このカートリッジ装着部には、黒（Ｋ）、シアン（Ｃ）、マゼンタ（Ｍ）、イエロ（Ｙ）等のインクが収容されたインクカートリッジ（不図示）が装着される。
【００２８】
ヘッド２１は、複数のノズルからなるノズル列をインク色毎に有する。そして、インクカートリッジから供給された各色のインクを前記ノズル列の各ノズルから媒体Ｓに向けて吐出して当該媒体Ｓ上にドットを形成し、媒体Ｓに画像を印刷する。
【００２９】
駆動機構２４は、プリンタ用キャリッジ４１に接続されたタイミングベルト４５と、このタイミングベルト４５に噛合されたプーリ４４と、このプーリ４４を回転駆動するキャリッジモータ４２と、プリンタ用キャリッジ４１の移動を案内するガイドレール４６と、プリンタ用キャリッジ４１の位置を検出するリニア式エンコーダとしてリニア式エンコーダ符号板５１およびこのリニア式エンコーダ符号板５１を読み取る検出部５２とを備えている。この駆動機構２４は、キャリッジモータ４２を駆動してプーリ４４を介してタイミングベルト４５を回転させる。これにより、プリンタ用キャリッジ４１は、媒体Ｓに対してガイドレール４６に沿って相対的に移動する。キャリッジモータ４２は、制御部５０からの制御信号により駆動制御される。
【００３０】
搬送機構３６は、プラテン１４と、搬送ローラ１７Ａと、当該搬送ローラ１７Ａを回転駆動する搬送モータ１５と、媒体Ｓが所定位置に到達したか否かを検出する紙検知センサ５３と、搬送ローラ１７Ａの回転量を検出するロータリ式エンコーダ５６とを備えている。プラテン１４は、ヘッド２１に対向して配置されている。搬送モータ１５が駆動すると、搬送ローラ１７Ａが回転して、媒体Ｓがプラテン１４上を搬送される。搬送モータ１５は、制御部５０からの制御信号により駆動制御される。
【００３１】
印刷時には、媒体Ｓが搬送ローラ１７Ａにより間欠的に所定の搬送量で搬送され、その間欠的な搬送の合間にプリンタ用キャリッジ４１が、搬送ローラ１７Ａによる搬送方向に対して交差する方向に沿って移動しながら、ヘッド２１のノズルから媒体Ｓに向けてインクが吐出されて印刷が施される。
【００３２】
＝＝＝操作パネル２＝＝＝
図４は、複合装置１の操作パネル２の説明図である。この操作パネル２は、文字や画像を表示するための液晶ディスプレイ８０を備えている。そして、液晶ディスプレイ８０の左側には、電源ボタン８２と、各種設定ボタン８３と、モードボタンと、原稿種類選択ボタンとが設けられている。
【００３３】
電源ボタン８２は、複合装置１の電源を投入／解除するためのオン／オフスイッチである。各種設定ボタン８３は、複合装置１の各種設定を行うための画面を液晶ディスプレイ８０に表示するためのボタンである。モードボタンは、それぞれ複合装置１のモードを設定するためのボタンであり、ここでは、コピーモードボタン８４と、印刷モードボタン８５と、スキャンモードボタン８６とが設けられている。原稿種類選択ボタンは、画像を読み取る原稿５の種類を選択するためのボタンであり、ここでは、反射原稿ボタン８７Ａと透過原稿ボタン８７Ｂとが設けられている。
【００３４】
液晶ディスプレイ８０の右側には、ＯＫボタン８９Ａと、キャンセルボタン８９Ｂと、スタートボタン（カラー）８９Ｄと、スタートボタン（モノクロ）８９Ｅと、ストップボタン８９Ｆと、十字ボタン８９Ｇと、メニューボタン８９Ｈとが設けられている。
【００３５】
ＯＫボタン８９Ａが押されると、液晶ディスプレイ８０の表示内容で設定条件が決定される。キャンセルボタン８９Ｂが押されると設定条件がクリアされ、各設定項目がデフォルト値に変更される。スタートボタン（カラー）８９Ｄは、前記モードボタンで選択されたモードの処理を、カラーで実行するためのボタンであり、他方、スタートボタン（モノクロ）８９Ｅは、前記モードボタンで選択されたモードの処理を、モノクロで実行するためのボタンである。ストップボタン８９Ｆは、一旦開始した処理を中止させるためのボタンである。十字ボタン８９Ｇは、その上下左右の４箇所を選択的に押すことが可能である。メニューボタン８９Ｈは、液晶ディスプレイ８０に表示される設定項目を切り替える。
【００３６】
＝＝＝制御部５０の構成＝＝＝
図５は、本実施形態に係る複合装置１の制御部５０のシステム構成を示すブロック図である。図６は、スキャナコントロールユニット１０４の構成の説明図である。
【００３７】
複合装置１の制御部５０は、複合装置１全体の制御を司るＣＰＵ９０と、制御のためのプログラム等を記憶したメモリ９２と、スキャナ機能、プリント機能、ローカルコピー機能の各制御を司る制御ＡＳＩＣ９４と、ＣＰＵ９０から直接データを読み書き可能なＳＤＲＡＭ９６と、入力部としての操作パネル２とを有し、これらはＣＰＵバス９８により接続されている。制御ＡＳＩＣ９４には、ＡＳＩＣ用ＳＤＲＡＭ１０２が設けられている。
【００３８】
制御ＡＳＩＣ９４は、スキャナコントロールユニット１０４と、リサイズユニット１０６と、２値化処理ユニット１０８と、インターレース処理ユニット１１０と、イメージバッファユニット１１２と、ＣＰＵインターフェイスユニット１１４と、ヘッドコントロールユニット１１６と、外部のホストコンピュータ１４０との入出力部としてのＵＳＢインターフェイス１１８と、ローカルバス１２８とを備えている。
【００３９】
ＡＳＩＣ用ＳＤＲＡＭ１０２には、リサイズバッファ１２２、インターレースバッファ１２４、イメージバッファ１２６、１２７等がそれぞれ割り当てられて設けられている。
【００４０】
スキャナコントロールユニット１０４は、図６に示すように、スキャナコントローラ２０２と、移動制御部の一例としてのモータ制御部２０４と、光源制御部２０６と、出力制御部の一例としてのセンサ制御部２０８と、後処理部２１０と、データ出力部２１８と、を備えている。
【００４１】
スキャナコントローラ２０２は、ＣＰＵ９０等からの命令により、モータ制御部２０４、光源制御部２０６、センサ制御部２０８、後処理部２１０、及び、データ出力部２１８を制御する。モータ制御部２０４は、スキャナコントローラ２０２からの命令により、スキャナ用キャリッジ６０を移動させるための駆動モータ７７の駆動制御を行う。光源制御部２０６は、反射原稿用光源６６Ａ又は透過原稿用光源６６Ｂの発光を制御する。センサ制御部２０８は、イメージセンサ７２Ａ又はイメージセンサ７２Ｂの制御を行う。
【００４２】
後処理部２１０は、イメージセンサ７２Ａ、７２Ｂが生成したアナログ電圧信号をデジタルデータへ変換する。また、後処理部２１０は、変換前のアナログ電圧信号や、変換後のデジタルデータに対して各種の処理を行う。例えば、後処理部２１０は、イメージセンサ７２Ｂが生成したアナログ電圧信号、が変換されることにより得られたデジタルデータに対して、後述するライン間補正のためのデータ処理を行う。
【００４３】
データ出力部２１８は、後処理部２１０により変換され、各種の処理が行われたデジタルデータを、原稿５上の画像の画像データとして、外部へと出力する。当該画像データは、例えば、２５６段階の階調値からなる階調値データである。なお、本実施の形態において、データ出力部２１８により出力された画像データは、ＵＳＢインターフェイス１１８を通じてホストコンピュータ１４０に送られたり、リサイズユニット１０６へ送られたりする。
【００４４】
リサイズユニット１０６は、所定のサイズの画像データを受け取り、その画像データのサイズを変更し、サイズ変更された画像データを送出する。２値化処理ユニット１０８は、送出された多階調のＲＧＢデータをＣＭＹＫの２値データ（又は２ビットデータ）に変換して、インターレース処理ユニット１１０に送出する。
【００４５】
インターレース処理ユニット１１０は、２値化処理ユニットから送られてきたＣＭＹＫの２値データ（又は２ビットデータ）を、ＡＳＩＣ側ＳＤＲＡＭ１０２のインターレースバッファ１２４に格納する。そして、インターレース処理ユニット１１０は、インターレースバッファ１２４に格納されたＣＭＹＫの２値データ（又は２ビットデータ）を所定のサイズ毎に読み出して、ノズル配列に対応させるべく並び替えてイメージバッファユニット１１２に送出する。
【００４６】
イメージバッファユニット１１２では、インターレース処理ユニット１１０から送出されたデータから、プリンタ用キャリッジ４１の移動毎の各ノズルにインクを吐出させるためのヘッド駆動データを生成する。ここでイメージバッファユニット１１２は、ＳＤＲＡＭ１０２上に設けられたイメージバッファ１２６、１２７にヘッド駆動データを格納する。イメージバッファ１２６、１２７には、それぞれプリンタ用キャリッジ４１が１回移動する毎のヘッド駆動データが格納される。
【００４７】
ＣＰＵインターフェイスユニット１１４は、制御ＡＳＩＣ９４に接続されたＡＳＩＣ用ＳＤＲＡＭ１０２へのＣＰＵ９０からのアクセスを可能にしている。ここでは、ＣＰＵインターフェイスユニット１１４を介して、イメージバッファユニット１１２により生成されたヘッド駆動データがイメージバッファ１２６、１２７からヘッドコントロールユニット１１６へと送出される。  
ヘッドコントロールユニット１１６は、ＣＰＵ９０により送られてきたヘッド駆動データに基づきヘッド２１を駆動して、ヘッド２１の各ノズルからインクを吐出させる。
【００４８】
＜＜＜制御部５０内のデータの流れ＞＞＞
次に、前述した制御部５０内のデータの流れについて、スキャナ機能実行時、プリンタ機能実行時、コピー機能実行時の各々毎に説明する。
【００４９】
＜スキャナ機能実行時＞
制御ＡＳＩＣ９４のＵＳＢインターフェイス１１８に接続されたホストコンピュータ１４０から、スキャナ部１０による画像読み取り指令信号と、読み取り解像度、読み取り領域等の読み取り情報データとが制御部５０に送信される。制御部５０では、画像読み取り指令信号と読み取り情報データとに基づいて、スキャナコントロールユニット１０４が制御され、スキャナ部１０による原稿５上の画像の読み取りが開始される。このとき、スキャナコントロールユニット１０４は、光源６６Ａ、６６Ｂやイメージセンサ７２Ａ、７２Ｂ、駆動機構６２を駆動してイメージセンサ７２Ａ、７２Ｂにアナログ電圧信号を生成させる。そして、スキャナコントロールユニット１０４は、当該アナログ電圧信号に対して各種の処理を行って前記画像データを生成し、当該画像データをホストコンピュータ１４０へ向けて出力する。
【００５０】
＜＜＜プリンタ機能実行時について＞＞＞
プリンタ機能時には、ホストコンピュータ１４０のプリンタドライバが画像データをヘッド駆動データに変換し、ヘッド駆動データがＵＳＢインターフェイス１１８から入力される。ヘッド駆動データは、ＣＰＵバス９８に接続されたＳＤＲＡＭ９６に割り付けられたイメージバッファ１３２に記憶される。イメージバッファ１３２は、２つに分けられたメモリ領域（イメージバッファ１３３、１３４）を備えている。各イメージバッファ１３３、１３４は、プリンタ用キャリッジ４１の１回の移動により印刷するためのヘッド駆動データを記憶することができる容量を有する。そして、一方のイメージバッファ１３３に１回の移動分のデータが書き込まれると、ヘッドコントロールユニット１１６に転送される。このとき、一方のイメージバッファ１３３のヘッド駆動データがヘッドコントロールユニット１１６に転送されると、他方のイメージバッファ１３４には次の移動の際に印刷するためのヘッド駆動データが記憶される。そして他方のイメージバッファ１３４に１回の移動分のデータが書き込まれると、ヘッドコントロールユニット１１６に転送され、前記一方のイメージバッファ１３３にイメージデータが書き込まれる。このように、２つのイメージバッファ１３３、１３４を用いて、ヘッド駆動データの書き込み、読み出しを交互に行いながらヘッドコントロールユニット１１６によりヘッド２１が駆動されて印刷が実行される。
【００５１】
＜＜＜コピー機能実行時について＞＞＞
コピー機能実行時には、先ず、スキャナ機能実行時と同様の処理が行われる。すなわち、スキャナコントロールユニット１０４が、光源６６Ａ、６６Ｂやイメージセンサ７２Ａ、７２Ｂ、駆動機構６２を駆動してイメージセンサ７２Ａ、７２Ｂにアナログ電圧信号を生成させ、当該アナログ電圧信号に対して各種の処理を行って前記画像データを生成する。しかしながら、コピー機能実行時には、スキャナコントロールユニット１０４は、画像データをホストコンピュータ１４０へ向けて出力するのではなく、２値化処理ユニット１０８へ向けて出力する。
【００５２】
２値化処理ユニット１０８に送り込まれた画像データは、ＡＳＩＣ用ＳＤＲＡＭ１０２内に格納されているルックアップテーブル１３６に基づき、ＲＧＢからＣＭＹＫへと色変換される。そして、ハーフトーン処理によってＣＭＹＫの色毎の２値データに変換されて、インターレース処理ユニット１１０に送り込まれる。
【００５３】
インターレース処理ユニット１１０に送り込まれたＣＭＹＫの２値データは、ＡＳＩＣ側ＳＤＲＡＭ１０２のインターレースバッファ１２４に格納されて、インターレース処理ユニット１１０により、ノズル配列に対応させるべく並び替えられる。そして、インターレース処理ユニット１１０によって並び替えられたデータは、イメージバッファユニット１１２へと送られる。
【００５４】
イメージバッファユニット１１２では、インターレース処理ユニット１１０から送られてきたデータを、プリンタ用キャリッジ４１の移動毎の各ノズルにインクを吐出させるためのヘッド駆動データとなるように整列させてイメージバッファ１２６，１２７に記憶する。
【００５５】
イメージバッファ１２６、１２７に記憶された移動毎のヘッド駆動データは、ＣＰＵインターフェイスユニット１１４を介してＣＰＵ９０により読み出されてヘッドコントロールユニット１１６に転送される。ヘッドコントロールユニット１１６は、転送されてきたヘッド駆動データに基づいてヘッド２１を駆動して印刷を実行する。
【００５６】
＝＝＝イメージセンサの構成等について＝＝＝
図７は、イメージセンサが設けられているスキャナ用キャリッジ６０の分解斜視図である。図８は、イメージセンサ７２Ｂに備えられた三つの光電変換部３００Ｒ、３００Ｇ、３００Ｂの位置関係を説明するための説明図である。図９は、イメージセンサ７２Ｂにおける電荷の移動の様子を説明するための説明図である。図１０は、三つの光電変換部３００Ｒ、３００Ｇ、３００Ｂの電荷蓄積期間と電荷放出タイミングを説明するための説明図である。図１１は、イメージセンサ７２Ａにおける電荷の移動の様子を説明するための説明図である。
【００５７】
なお、スキャナ用キャリッジ６０には、図７に示すように、イメージセンサ７２Ａとイメージセンサ７２Ｂとが、スキャナ用キャリッジ６０の移動方向（換言すれば、イメージセンサ７２Ａ及びイメージセンサ７２Ｂの移動方向）において並んだ状態で設けられているが、双方のイメージセンサの構成等は、互いに異なっている。以下では、構造が複雑なイメージセンサ７２Ｂの方から説明し、その後でイメージセンサ７２Ａについて説明する。
【００５８】
＜＜＜イメージセンサ７２Ｂの構成等について＞＞＞
イメージセンサ７２Ｂは、前記移動方向において、イメージセンサ７２Ａよりも上流側に位置するセンサであり、三つの光電変換部３００と、読み取りデータ生成部３０５とを備えている。
【００５９】
三つの光電変換部３００は、画像（透過原稿５Ｂ）からの透過光の赤色成分、緑色成分、及び、青色成分のうちの一を受光して当該透過光の量に応じた量の電荷を定期的に読み取りデータ生成部３０５へ向けて出力する。
【００６０】
前述したとおり、当該透過光は、前記反射光とは異なり、ＲＧＢの各色成分に色分解されていない状態でイメージセンサ７２Ｂに入射するため、透過光は、イメージセンサ７２Ｂ側でＲＧＢの各色成分に色分解される必要がある。これを実現するために、イメージセンサ７２Ｂには、三つの光電変換部３００、すなわち、透過光の赤色成分を受光して当該透過光の量に応じた量の電荷を前記読み取りデータ生成部３０５へ向けて出力する光電変換部３００Ｒ、透過光の緑色成分を受光して当該透過光の量に応じた量の電荷を前記読み取りデータ生成部３０５へ向けて出力する光電変換部３００Ｇ、及び、透過光の青色成分を受光して当該透過光の量に応じた量の電荷を前記読み取りデータ生成部３０５へ向けて出力する光電変換部３００Ｂ、が設けられている。
【００６１】
三つの光電変換部３００Ｒ、３００Ｇ、３００Ｂは、いずれも、前記移動方向と直交する直交方向に沿って複数の光電変換素子３０２を備えており、複数の光電変換素子３０２の各々が、前記画像からの光を受光して該光の量に応じた量の電荷を定期的に出力する。そのため、光電変換部３００Ｒ、３００Ｇ、３００Ｂは、図８に示すように、それぞれ、線（ライン）形状を成している。また、本実施の形態においては、光電変換素子３０２として、カラーフィルタ及びフォトダイオードが用いられており、光電変換部３００Ｒに備えられている光電変換素子３０２Ｒは、赤色カラーフィルタ及びフォトダイオード、光電変換部３００Ｇに備えられている光電変換素子３０２Ｇは、緑色カラーフィルタ及びフォトダイオード、光電変換部３００Ｂに備えられている光電変換素子３０２Ｂは、青色カラーフィルタ及びフォトダイオードである。なお、本実施の形態において、光電変換素子３０２は、１／２４００インチ間隔で、前記直交方向に沿って並んでいる。したがって、直交方向における最大読み取り解像度は、２４００ｄｐｉとなっている。
【００６２】
三つの光電変換部３００Ｒ、３００Ｇ、３００Ｂは、図８に示すように、前記移動方向に沿って並んで配置されている。より具体的には、移動方向において最も下流側に配置されている光電変換部が光電変換部３００Ｒ、次に下流側に配置されている光電変換部が光電変換部３００Ｇ、残りの光電変換部が光電変換部３００Ｂとなっている。なお、以下では、移動方向において最も下流側に配置されている光電変換部を第１光電変換部（本実施の形態においては、光電変換部３００Ｒ）、次に下流側に配置されている光電変換部を第２光電変換部（本実施の形態においては、光電変換部３００Ｇ）、残りの光電変換部を第３光電変換部（本実施の形態においては、光電変換部３００Ｂ）と、も呼ぶ。また、図８に示すように、本実施の形態において、三つの光電変換部３００Ｒ、３００Ｇ、３００Ｂは、１／１８００インチ間隔で、前記移動方向に沿って並んでいる（換言すれば、三つの光電変換部３００Ｒ、３００Ｇ、３００Ｂのうちの、互いに隣り合う光電変換部、の間隔Ｄは、１／１８００インチである）。
【００６３】
このように構成された三つの光電変換部３００Ｒ、３００Ｇ、３００Ｂは、スキャナ用キャリッジ６０の移動に伴って前記移動方向に一体的に移動しつつ、透過光の量に応じた量の電荷を定期的に読み取りデータ生成部３０５へ向けて出力する。かかる際に、当該電荷は、三つの光電変換部の各々から（時間をずらして）順番に出力される。読み取りデータ生成部３０５は、前記三つの光電変換部３００Ｒ、３００Ｇ、３００Ｂの各々が出力した前記電荷を順次受け取り、該電荷の量に基づいて前記画像の読み取りデータをアナログ電圧信号の形態で生成し、出力する。読み取りデータ生成部３０５には、電荷転送部（ＣＣＤ：charge-coupled device）３０６と検出部３１２が設けられており、電荷転送部３０６が、前記電荷の受け取りと検出部３１２への電荷の転送を行う役割を果たし、検出部３１２が、電荷の量に基づいたアナログ電圧信号（読み取りデータ）の生成と当該アナログ電圧信号（読み取りデータ）の出力を行う役割を果たす。
【００６４】
ここで、上記について、図９を用いて詳しく説明する。上述したとおり、三つの光電変換部３００Ｒ、３００Ｇ、３００Ｂは、前記直交方向に沿って複数の光電変換素子３０２Ｒ、３０２Ｇ、３０２Ｂを備えている。光電変換部３００Ｒ、３００Ｇ、３００Ｂは、実際には、多数の光電変換素子３０２Ｒ、３０２Ｇ、３０２Ｂを有しているが、図９においては、図を見やすくするために、三つの光電変換素子のみ（三つの光電変換部の各々毎に三つ、全部で九つ）を示している。
【００６５】
また、光電変換部３００Ｒ、３００Ｇ、３００Ｂと電荷転送部３０６との間には、電荷が光電変換部３００Ｒ、３００Ｇ、３００Ｂから電荷転送部３０６へ移動する際の該電荷の通路としてのレジスタ３０４が設けられている。当該レジスタ３０４は、移動方向に並んで配置された光電変換素子３０２Ｒ、光電変換素子３０２Ｇ、及び、光電変換素子３０２Ｂを一つの組としたときに、当該組毎に備えられており、したがって、光電変換素子３０２Ｒ（光電変換部３００Ｒ）、光電変換素子３０２Ｇ（光電変換部３００Ｇ）、光電変換素子３０２Ｂ（光電変換部３００Ｂ）の各々が出力する電荷にとって、共通して用いられる通路となっている。
【００６６】
また、レジスタ３０４の入口には、開閉することにより、光電変換部３００Ｒ、３００Ｇ、３００Ｂ（光電変換素子３０２Ｒ、３０２Ｇ、３０２Ｂ）からレジスタ３０４への電荷の移動を許可したり遮断したりする第１ゲート３０８Ｒ、３０８Ｂ、３０８Ｇが設けられており、一方、レジスタ３０４の出口には、開閉することにより、レジスタ３０４から電荷転送部３０６への電荷の移動を許可したり遮断したりする第２ゲート３１０が設けられている。
【００６７】
三つの光電変換部３００Ｒ、３００Ｇ、３００Ｂは、スキャナ用キャリッジ６０の移動に伴って前記移動方向に一体的に移動しながら、透過光の赤色成分、緑色成分、青色成分をそれぞれ受光する。そして、先ず、図９の上図に示すように、光電変換部３００Ｒが、透過光（の赤色成分）の量に応じた量の電荷を前記読み取りデータ生成部３０５へ向けて出力する。かかる際には、前述したセンサ制御部２０８が第１ゲート３０８Ｒを制御することにより、第１ゲート３０８Ｒが開放され（一方、第１ゲート３０８Ｇ、３０８Ｂは、開放されない）、電荷が光電変換部３００Ｒから出力される。さらに、第１ゲート３０８Ｒが開放される際には、センサ制御部２０８の制御により第２ゲート３１０も開放され、出力された電荷は、レジスタ３０４を通って、読み取りデータ生成部３０５の電荷転送部３０６へ移動する。電荷転送部３０６へ移動した電荷は、検出部３１２へ転送され、当該検出部３１２において、電荷の量に基づいたアナログ電圧信号が生成される。
【００６８】
次に、図９の中央図に示すように、光電変換部３００Ｇが、透過光（の緑色成分）の量に応じた量の電荷を前記読み取りデータ生成部３０５へ向けて出力する。かかる際には、センサ制御部２０８が第１ゲート３０８Ｇを制御することにより、第１ゲート３０８Ｇが開放され（一方、第１ゲート３０８Ｒ、３０８Ｂは、開放されない）、電荷が光電変換部３００Ｇから出力される。さらに、第１ゲート３０８Ｇが開放される際には、第２ゲート３１０も開放され、出力された電荷は、レジスタ３０４を通って、読み取りデータ生成部３０５の電荷転送部３０６へ移動する。電荷転送部３０６へ移動した電荷は、検出部３１２へ転送され、当該検出部３１２において、電荷の量に基づいたアナログ電圧信号が生成される。
【００６９】
次に、図９の下図に示すように、光電変換部３００Ｂが、透過光（の青色成分）の量に応じた量の電荷を前記読み取りデータ生成部３０５へ向けて出力する。かかる際には、センサ制御部２０８が第１ゲート３０８Ｂを制御することにより、第１ゲート３０８Ｂが開放され（一方、第１ゲート３０８Ｒ、３０８Ｇは、開放されない）、電荷が光電変換部３００Ｂから出力される。さらに、第１ゲート３０８Ｂが開放される際には、第２ゲート３１０も開放され、出力された電荷は、レジスタ３０４を通って、読み取りデータ生成部３０５の電荷転送部３０６へ移動する。電荷転送部３０６へ移動した電荷は、検出部３１２へ転送され、当該検出部３１２において、電荷の量に基づいたアナログ電圧信号が生成される。
【００７０】
そして、以下、三つの光電変換部３００Ｒ、３００Ｇ、３００Ｂの、前記移動方向への移動が継続されつつ、上記の三つの動作が、順番に、繰り返されることにより、・・・→Ｒ→Ｇ→Ｂ→Ｒ→・・・の順に、アナログ電圧信号が生成されることとなる。
【００７１】
なお、上記においては、三つの光電変換部３００Ｒ、３００Ｇ、３００Ｂは、・・・→光電変換部３００Ｒ→光電変換部３００Ｇ→光電変換部３００Ｂ→光電変換部３００Ｒ→・・・という順番（ローテーション）で、電荷を出力するものとして説明を行ったが、本実施の形態に係るイメージセンサ７２Ｂにおいては、画像の前記移動方向における読み取り解像度（以下、当該移動方向における読み取り解像度を、単に、解像度とも呼ぶ）に応じて（換言すれば、イメージセンサ７２Ｂがどのような解像度で画像を読み込むかに応じて）、前記電荷の出力順が変わるようになっている。すなわち、三つの光電変換部３００Ｒ、３００Ｇ、３００Ｂが、・・・→光電変換部３００Ｒ→光電変換部３００Ｇ→光電変換部３００Ｂ→光電変換部３００Ｒ→・・・という順番（ローテーション）で、電荷を出力する場合と、・・・→光電変換部３００Ｂ→光電変換部３００Ｇ→光電変換部３００Ｒ→光電変換部３００Ｂ→・・・という順番（ローテーション）で、電荷を出力する場合と、があり、どちらになるかは解像度の値によよる（これについては、後に詳しく説明する）。
【００７２】
一方、本実施の形態に係るイメージセンサ７２Ｂにおいては、解像度がどのような値であっても、三つの光電変換部３００Ｒ、３００Ｇ、３００Ｂの各々が電荷を出力する周期は変わらない。そして、図１０に示すように、光電変換部３００Ｒが電荷を出力する周期と、光電変換部３００Ｇが電荷を出力する周期と、光電変換部３００Ｂが電荷を出力する周期が、同じ値となるように設定されており、光電変換部３００Ｒ、３００Ｇ、３００ＢがＴ秒の周期で定期的に電荷を出力する場合には、光電変換部３００Ｒ、３００Ｇ、３００Ｂの各々は、Ｔ／３秒ずつずらして順番に電荷を出力する（図１０においては、電荷出力タイミングが記号Ｂで示されている）。なお、上述したとおり、光電変換部３００Ｒ、３００Ｇ、３００Ｂの各々は一定周期で電荷を出力するが、出力間の期間（ある時に電荷を出力してから次に電荷を出力するまでの期間）は、光を受光して電荷を蓄積するための電荷蓄積期間となる（図１０においては、電荷蓄積期間が記号Ａで示されている）。そして、電荷蓄積期間が終了するタイミングで当該期間に蓄積された電荷が出力されることとなる。
【００７３】
＜＜＜イメージセンサ７２Ａの構成等について＞＞＞
前述したように、反射原稿用光源６６ＡはＲＧＢの３色のＬＥＤである。このため、ＬＥＤの光源６６Ａ側でＲＧＢの３色に色分解されており、反射原稿５Ａからの反射光も３色に色分解された状態でイメージセンサ７２Ａに入射する。よって、イメージセンサ７２Ａの光電変換部４００に備えられている光電変換素子４０２としては、モノクロのフォトダイオードが使用されている。
【００７４】
つまり、イメージセンサ７２Ａは、図１１に示すように、ＲＧＢの色毎に光電変換部（光電変換素子）を有するのではなく、モノクロの光電変換部４００（光電変換素子４０２）のみを有している。そして、前記光電変換部４００（光電変換素子４０２）は、所定周期で入射するＲＧＢの反射光を受光し、反射光の量に応じた量の電荷を定期的に、電荷転送部４０６及び検出部４１２を備えた読み取りデータ生成部へ向けて出力する。読み取りデータ生成部は、光電変換部４００（光電変換素子４０２）が出力した前記電荷を受け取り、該電荷の量に基づいて前記画像の読み取りデータをアナログ電圧信号の形態で生成し、出力する。
【００７５】
このように、イメージセンサ７２Ａ、イメージセンサ７２Ｂ間の、主たる相違点は、光電変換部４００の数が異なっていることである。そして、その他の点については概ね同じであるから、その説明は省略する。
【００７６】
＝＝＝スキャナ機能実行時の画像読み取り装置の動作について＝＝＝
ここでは、スキャナ機能実行時の画像読み取り装置（複合装置１）の動作例について説明する。なお、本項では、反射原稿５Ａからの画像読み取りと透過原稿５Ｂからの画像読み取りのうち、後者の例について説明する。
【００７７】
また、上述したとおり、本実施の形態に係る複合装置１においては、そのスキャナ機能実行時の動作が、前記移動方向における読み取り解像度に応じて異なることとなる。このことから、本項においては、解像度が２４００ｄｐｉのときの前記動作と、解像度が１２００ｄｐｉのときの前記動作の、双方について説明する（以下、前者を第一実施例、後者を第二実施例とも呼ぶ）。
【００７８】
＜＜＜解像度が２４００ｄｐｉのときの動作（第一実施例）について＞＞＞
ＵＳＢインターフェイス１１８に接続されたホストコンピュータ１４０から、画像読み取り指令信号と読み取り解像度等の読み取り情報データとが制御部５０に送信されると、先ず、スキャナコントロールユニット１０４が、スキャナ部１０を制御して、スキャナ部１０に透過原稿５Ｂ上の画像の読み取りを実行させる。
【００７９】
すなわち、スキャナコントロールユニット１０４内のスキャナコントローラ２０２が、透過原稿用光源６６Ｂを発光させて、その後、スキャナ用キャリッジ６０（三つの光電変換部３００Ｒ、３００Ｇ、３００Ｂ）を移動させつつ、イメージセンサ７２Ｂに画像を読み取らせる。かかる際には、モータ制御部２０４により駆動モータ７７が駆動されることにより、三つの光電変換部３００Ｒ、３００Ｇ、３００Ｂが移動方向に一体的に移動する。当該光電変換部３００Ｒ、３００Ｇ、３００Ｂは、移動しながら、透過光の、各々に対応した色成分、を受光する。そして、センサ制御部２０８により前述したゲートが制御されることにより、三つの光電変換部３００Ｒ、３００Ｇ、３００Ｂが、・・・→光電変換部３００Ｒ→光電変換部３００Ｇ→光電変換部３００Ｂ→光電変換部３００Ｒ→・・・という順番（ローテーション）で、透過光の量に応じた量の電荷を読み取りデータ生成部３０５へ向けて出力する。そして、センサ制御部２０８の、読み取りデータ生成部３０５に対する制御により、読み取りデータ生成部３０５が、前記三つの光電変換部３００Ｒ、３００Ｇ、３００Ｂの各々が出力した前記電荷を順次受け取り、該電荷の量に基づいて前記画像の読み取りデータをアナログ電圧信号の形態で順次生成する。
【００８０】
次に、スキャナコントロールユニット１０４内の後処理部２１０が、スキャナ部１０が生成したアナログ電圧信号をデジタルデータへ変換する。さらに、後処理部２１０は、変換されたデジタルデータに対して、ライン間補正のためのデータ処理を行う。
【００８１】
ここで、ライン間補正について説明する。ライン間補正とは、前述した位置ずれ（すなわち、読み取り画素の、移動方向における位置、が三色間でずれてしまうこと）を補正することである。以下では、先ず、本実施例の場合（すなわち、解像度が２４００ｄｐｉのケース）に、どのような位置ずれが生ずるか、について、図１２を用いて説明する。そして、これに引き続き、当該位置ずれの補正方法（ライン間補正の方法）について説明する。
【００８２】
図１２は、解像度が２４００ｄｐｉの場合に発生する位置ずれを説明するための説明図である。図１２の右図には、イメージセンサ７２Ｂが時間の経過にしたがって移動方向へ移動する様子が示されている。当該右図においては、横軸が時間軸、縦軸がイメージセンサ７２Ｂの移動方向における位置であり、イメージセンサ７２Ｂ上に表された三つの丸印は、三つの光電変換部３００Ｒ、３００Ｇ、３００Ｂを示している。また、当該丸印として、黒丸と白丸が表されているが、黒丸は、電荷を出力している光電変換部を、白丸は、電荷を出力していない光電変換部を、それぞれ示している。例えば、時間ｔｉにおいては、三つの光電変換部３００Ｒ、３００Ｇ、３００Ｂのうち光電変換部３００Ｒのみが、時間ｔｉ＋１においては、光電変換部３００Ｇのみが、時間ｔｉ＋２においては、光電変換部３００Ｂのみが、それぞれ電荷を出力することが表されている。また、横軸には、時間ｔｉ−３，・・・，ｔｉ＋５が示されているが、隣接する時間（例えば、ｔｉとｔｉ＋１）間の間隔は、図１０に示したとおり、光電変換部３００Ｒ、３００Ｇ、３００Ｂの各々が電荷を出力する周期Ｔの１／３の長さ（Ｔ／３秒）となっている。なお、便宜上、図１２に示されている光電変換部３００Ｒ、３００Ｇ、３００Ｂには、光電変換素子が一つだけしか備えられていないこととする（すなわち、丸印は、光電変換部を示すと共に、光電変換素子を示している）。
【００８３】
一方、図１２の左図には、光電変換部３００Ｒ、３００Ｇ、３００Ｂが各々の時間（・・・，ｔｉ−１，ｔｉ，ｔｉ＋１，・・・）において出力した電荷が画像上のどの位置からの光に基づいて蓄積された電荷であるか、が、ブロック（・・・，Ｂｉ−１，Ｂｉ，Ｂｉ＋１，・・・）により、色（ＲＧＢ）別に表されている。
【００８４】
例えば、時間ｔｉにおいては、３つの光電変換部のうち光電変換部３００Ｒが電荷を出力するが、前述したとおり、光電変換部３００Ｒは、時間ｔｉ−３から時間ｔｉまでのＴ秒間の電荷蓄積期間中に蓄積された電荷を時間ｔｉで出力する。したがって、時間ｔｉ−３から時間ｔｉまでの間に光電変換部３００Ｒが移動した範囲、すなわち、図中Ｒ列上に示されたブロックＢｉ、からの光に基づいて蓄積された電荷が、時間ｔｉで出力されることとなる。
【００８５】
また、前述したとおり、光電変換部３００Ｒ、３００Ｇ、３００Ｂは、それぞれ、Ｔ秒の周期で、電荷の蓄積と出力を繰り返す。したがって、各々のブロックＢは、読み取った画像の最小単位である読み取り画素を表していると言える（以下、ブロックＢｉ等を読み取り画素Ｂｉ等とも呼ぶ）。したがって、イメージセンサ７２Ｂは、・・・→読み取り画素Ｂｉ→読み取り画素Ｂｉ＋１→読み取り画素Ｂｉ＋２→・・・の順番に、各々の読み取り画素に対応したアナログ電圧信号を順次出力することとなる。
【００８６】
そして、このような出力が行われた場合には、図１２の左図に示されるように、読み取り画素の、移動方向における位置、が三色間でずれてしまう事象（位置ずれ）が生ずることになる。すなわち、イメージセンサ７２Ｂは、ＲＧＢの三色分を一つの組として括れば、・・・→[Ｂｉ−３，Ｂｉ−２，Ｂｉ−１] →[Ｂｉ，Ｂｉ＋１，Ｂｉ＋２] →[Ｂｉ＋３，Ｂｉ＋４，Ｂｉ＋５] → ・・・の順番に、アナログ電圧信号を出力していることとなるが、一つの組に含まれる読み取り画素（例えば、Ｂｉ，Ｂｉ＋１，Ｂｉ＋２）の、移動方向における位置、が三色間で異なってしまう（位置ずれの発生）。
【００８７】
ここで、本第一実施例において発生する位置ずれの大きさについて、[Ｂｉ，Ｂｉ＋１，Ｂｉ＋２]の組を例にとって説明する。先ず、読み取り画素Ｂｉ、読み取り画素Ｂｉ＋１間の位置ずれの大きさについて考察すると、図１２から明らかなように、当該大きさは、時間ｔｉにおける光電変換部３００Ｒの移動方向における位置と時間ｔｉ＋１における光電変換部３００Ｇの移動方向における位置との距離差に相当する。そして、当該距離差は、前述した間隔Ｄ（すなわち、光電変換部３００Ｒ、３００Ｇ間の移動方向における物理的な間隔。本実施の形態においては、１／１８００インチ）から、時間ｔｉから時間ｔｉ＋１までの間（周期Ｔ秒の１／３）に光電変換部３００Ｒ及び光電変換部３００Ｇが（一体的に）移動する移動距離を引いた値となる。そして、光電変換部３００Ｒ、３００Ｇは、それぞれ、Ｔ秒の周期で、電荷の蓄積と出力を繰り返すことから、光電変換部３００Ｒ、３００Ｇは、Ｔ秒間に、１／Ｒ（Ｒは解像度）の距離だけ移動することとなる（換言すれば、所定の解像度Ｒで画像が読み込まれるように、光電変換部３００Ｒ、３００Ｇの移動速度がＶ＝（１／Ｒ）／Ｔに制御されている）。したがって、前記距離差（以下、記号Ｍ１で表す）は、Ｍ１＝Ｄ−１／（３・Ｒ）で表され、本第一実施例においては、Ｄ＝１／１８００、Ｒ＝２４００なので、距離差Ｍ１、すなわち、位置ずれの大きさは、１／２４００インチとなる。また、読み取り画素Ｂｉ＋１、読み取り画素Ｂｉ＋２間の位置ずれの大きさも、同様の計算により、１／２４００インチとなり、これらの大きさは、１／Ｒと等しくなる。
【００８８】
当該位置ずれを解消するために、アナログ電圧信号がデジタルデータに変換された後に、後処理部２１０は、当該位置ずれの補正（ライン間補正）を行う。具体的には、後処理部２１０は、前述した一つの組に含まれる読み取り画素の、移動方向における位置、が三色間で同じとなるように、前記デジタルデータの順番を並び替える。すなわち、本第一実施例においては、・・・→[Ｂｉ−６，Ｂｉ−２，Ｂｉ＋２] →[Ｂｉ−３，Ｂｉ＋１，Ｂｉ＋５] →[Ｂｉ，Ｂｉ＋４，Ｂｉ＋８] → ・・・のように順番が並び替えられる。
【００８９】
そして、最終的に、スキャナコントロールユニット１０４内のデータ出力部２１８が、後処理部２１０により各種の処理が施された後のデジタルデータを、原稿５上の画像の画像データとしてホストコンピュータ１４０に送ることとなる。
【００９０】
＜＜＜解像度が１２００ｄｐｉのときの動作について＞＞＞
解像度が１２００ｄｐｉのときにも、画像読み取り装置（複合装置１）は、第一実施例と概ね同様の動作を実行する。
【００９１】
しかしながら、第一実施例においては、三つの光電変換部３００Ｒ、３００Ｇ、３００Ｂが、・・・→光電変換部３００Ｒ→光電変換部３００Ｇ→光電変換部３００Ｂ→光電変換部３００Ｒ→・・・という順番（ローテーション）で、透過光の量に応じた量の電荷を出力していたのに対し、本第二実施例においては、三つの光電変換部３００Ｒ、３００Ｇ、３００Ｂが、・・・→光電変換部３００Ｂ→光電変換部３００Ｇ→光電変換部３００Ｒ→光電変換部３００Ｂ→・・・という順番（ローテーション）で、透過光の量に応じた量の電荷を出力する点で、第一実施例とは異なっている。  
また、本第二実施例においては、前記順番（ローテーション）が変わったことに起因して、前記位置ずれについての状況が、第一実施例とは相違しており、したがって、これに伴い位置ずれの補正（ライン間補正）方法も、第一実施例とは若干異なっている。
【００９２】
これについて、図１３を用いて説明する。図１３は、図１２に対応した図であり、解像度が１２００ｄｐｉの場合に発生する位置ずれを説明するための説明図である。
【００９３】
図に示すように、イメージセンサ７２Ｂは、第一実施例と同様、ＲＧＢの三色分を一つの組として括れば、・・・→[Ｂｉ−３，Ｂｉ−２，Ｂｉ−１] →[Ｂｉ，Ｂｉ＋１，Ｂｉ＋２] →[Ｂｉ＋３，Ｂｉ＋４，Ｂｉ＋５] → ・・・の順番に、アナログ電圧信号を出力し、一つの組に含まれる読み取り画素（例えば、Ｂｉ，Ｂｉ＋１，Ｂｉ＋２）の、移動方向における位置、が三色間で異なる事象が発生するが、第一実施例においては、読み取り画素Ｂｉよりも読み取り画素Ｂｉ＋１（読み取り画素Ｂｉ＋２）の方がより移動方向上流側に位置するのに対し、本実施の形態においては、読み取り画素Ｂｉよりも読み取り画素Ｂｉ＋１（読み取り画素Ｂｉ＋２）の方がより移動方向下流側に位置することとなる。
【００９４】
したがって、本第二実施例に係る位置ずれの補正（ライン間補正）が行われる際には、前記第一実施例とは異なり、前記デジタルデータの順番が、・・・→[Ｂｉ−４，Ｂｉ−２，Ｂｉ] →[Ｂｉ−１，Ｂｉ＋１，Ｂｉ＋３] →[Ｂｉ＋２，Ｂｉ＋４，Ｂｉ＋６] → ・・・のように並び替えられる。
【００９５】
ここで、第二実施例において発生する位置ずれの大きさについて、[Ｂｉ，Ｂｉ＋１，Ｂｉ＋２]の組を例にとって説明する。先ず、読み取り画素Ｂｉ、読み取り画素Ｂｉ＋１間の位置ずれの大きさについて考察すると、図１３から明らかなように、当該大きさは、時間ｔｉにおける光電変換部３００Ｂの移動方向における位置と時間ｔｉ＋１における光電変換部３００Ｇの移動方向における位置との距離差に相当する。そして、当該距離差は、前述した間隔Ｄに、時間ｔｉから時間ｔｉ＋１までの間（周期Ｔ秒の１／３）に光電変換部３００Ｂ及び光電変換部３００Ｇが（一体的に）移動する移動距離（なお、前述したとおり、光電変換部の移動速度は、Ｖ＝（１／Ｒ）／Ｔで表され、読み取り解像度に反比例して変化するため、当該移動距離は、第一実施例に係る移動距離の２倍になる）を加えた値となる。そして、光電変換部３００Ｒ、３００Ｇは、Ｔ秒間に、１／Ｒ（Ｒは解像度）の距離だけ移動するから、前記距離差（以下、記号Ｎ１で表す）は、Ｎ１＝Ｄ＋１／（３・Ｒ）で表され、本実施の形態においては、Ｄ＝１／１８００、Ｒ＝１２００なので、距離差Ｍ２、すなわち、位置ずれの大きさは、１／１２００インチとなる。また、読み取り画素Ｂｉ＋１、読み取り画素Ｂｉ＋２間の位置ずれの大きさも、同様の計算により、１／１２００インチとなり、これらの大きさは、１／Ｒと等しくなる。
【００９６】
＝＝＝電荷の出力順の決定方法について＝＝＝
上述したとおり、本実施の形態に係る画像読み取り装置（複合装置１）においては、センサ制御部２０８が、解像度に応じて前記電荷の出力順を変化させる。例えば、解像度が２４００ｄｐｉのときには、三つの光電変換部３００Ｒ、３００Ｇ、３００Ｂが、・・・→光電変換部３００Ｒ→光電変換部３００Ｇ→光電変換部３００Ｂ→光電変換部３００Ｒ→・・・という順番（ローテーション）で、透過光の量に応じた量の電荷を出力し、一方、解像度が１２００ｄｐｉのときには、三つの光電変換部３００Ｒ、３００Ｇ、３００Ｂが、・・・→光電変換部３００Ｂ→光電変換部３００Ｇ→光電変換部３００Ｒ→光電変換部３００Ｂ→・・・という順番（ローテーション）で、透過光の量に応じた量の電荷を出力するようになっている。
【００９７】
また、本実施の形態に係る画像読み取り装置（複合装置１）は、複数種類の解像度（２４００、１２００ｄｐｉを含む）で画像を読み取り可能であり、当該複数種類の解像度毎に、電荷の出力順が予め決められている。そして、複数種類の解像度毎に当該出力順が表されたテーブル、がスキャナコントロールユニット１０４内のメモリ（不図示）に格納されており、センサ制御部２０８は、ホストコンピュータ１４０等から送信された前記読み取り情報データに含まれる解像度情報と前記テーブルとに基づいて実行する電荷の出力順を把握し、把握された出力順で電荷を出力する。
【００９８】
ここでは、前記テーブルがどのようにして作成されるか、換言すれば、前記出力順がどのような方法により決定されるか、について説明する。なお、以下では、光電変換部３００Ｒ（第１光電変換部）、光電変換部３００Ｇ（第２光電変換部）、光電変換部３００Ｂ（第３光電変換部）が、・・・→光電変換部３００Ｒ（第１光電変換部）→光電変換部３００Ｇ（第２光電変換部）→光電変換部３００Ｂ（第３光電変換部）→光電変換部３００Ｒ（第１光電変換部）→・・・という順番（ローテーション）で、電荷を出力することを、電荷を「昇順に」出力するといい、光電変換部３００Ｒ（第１光電変換部）、光電変換部３００Ｇ（第２光電変換部）、光電変換部３００Ｂ（第３光電変換部）が、・・・→光電変換部３００Ｂ（第３光電変換部）→光電変換部３００Ｇ（第２光電変換部）→光電変換部３００Ｒ（第１光電変換部）→光電変換部３００Ｂ（第３光電変換部）→・・・という順番（ローテーション）で、電荷を出力することを、電荷を「降順に」出力するという。
【００９９】
１）距離差Ｍ１及び距離差Ｎ１のうちのどちらか一方が、１／Ｒの倍数となる場合
前述したとおり、位置ずれの大きさは、電荷が昇順に出力される場合には、距離差Ｍ１＝Ｄ−１／（３・Ｒ）で、電荷が降順に出力される場合には、距離差Ｎ１＝Ｄ＋１／（３・Ｒ）で、それぞれ表される。そして、距離差Ｍ１や距離差Ｎ１が、１／Ｒの倍数となる場合には、前述したライン間補正により、位置ずれを解消することができる。
【０１００】
例えば、解像度Ｒが２４００ｄｐｉのときに、電荷が昇順に出力されるとすると、Ｍ１＝１／２４００となり、読み取り画素Ｂの配置が、図１２の左図のようになる。そして、このときには、Ｍ１が１／Ｒの倍数となるため、ライン間補正を行えば、位置ずれが完全に解消する。
【０１０１】
一方、電荷を降順に出力させた場合には、Ｎ１＝１／１４４０となり、読み取り画素Ｂの配置が、図１４のようになる。そして、このときには、Ｎ１が１／Ｒの倍数とならないため、例え、ライン間補正を行ったとしても、位置ずれが完全に解消することはない。
【０１０２】
また、解像度Ｒが１２００ｄｐｉのときに、電荷が降順に出力されるとすると、Ｎ１＝１／１２００となり、読み取り画素Ｂの配置が、図１３の左図のようになる。そして、このときには、Ｎ１が１／Ｒの倍数となるため、ライン間補正を行えば、位置ずれが完全に解消する。
【０１０３】
一方、電荷を昇順に出力させた場合には、Ｍ１＝１／３６００となり、読み取り画素Ｂの配置が、図１５のようになる。そして、このときには、Ｍ１が１／Ｒの倍数とならないため、例え、ライン間補正を行ったとしても、位置ずれが完全に解消することはない。
【０１０４】
このように、距離差Ｍ１及び距離差Ｎ１のうちのどちらか一方が、１／Ｒの倍数となる場合には、距離差が１／Ｒの倍数となる方の出力順を採用する。すなわち、第一実施例及び第二実施例において示したように、解像度Ｒが２４００ｄｐｉのときには、出力順を昇順とし、解像度Ｒが１２００ｄｐｉのときには、出力順を降順とする。
【０１０５】
２）距離差Ｍ１及び距離差Ｎ１のどちらも、１／Ｒの倍数とならない場合
解像度Ｒが１２００ｄｐｉや２４００ｄｐｉのときには、距離差Ｍ１及び距離差Ｎ１のうちのどちらか一方が１／Ｒの倍数となったが、解像度Ｒの値によっては、このようにならない場合もある。
【０１０６】
例えば、解像度Ｒが８００ｄｐｉのときに、電荷を昇順に出力させた場合には、Ｍ１＝１／７２００となり、読み取り画素Ｂの配置が、図１６のようになる。一方、電荷を降順に出力させた場合には、Ｎ１＝７／７２００となり、読み取り画素Ｂの配置が、図１７のようになる。したがって、Ｍ１、Ｎ１が１／Ｒの倍数とならないため、いずれの場合にも、ライン間補正を行ったとしても、位置ずれが完全に解消することはない。
【０１０７】
そして、このように、距離差Ｍ１及び距離差Ｎ１のどちらも１／Ｒの倍数とならない場合には、位置ずれが小さくなる方の出力順を採用することとする。ここで、昇順の場合の位置ずれ及び降順の場合の位置ずれのどちらが小さくなるかは、距離差Ｍ１と距離差Ｎ１の単純比較により判断されるのではなく、前記ライン間補正が加味される。例えば、解像度Ｒが８００ｄｐｉである場合には、距離差Ｎ１＝７／７２００となるが、ライン間補正を行えば（例えば、[Ｂｉ，Ｂｉ＋１，Ｂｉ＋２] の組を、[Ｂｉ−１，Ｂｉ＋１，Ｂｉ＋３]の組とする）、位置ずれの大きさは、より小さな値である２／７２００となる。したがって、本実施の形態においては、ライン間補正が加味された位置ずれの大きさが、小さくなる方の出力順（昇順又は降順）を採用することとしている。
【０１０８】
そして、ライン間補正が加味された位置ずれの大きさＭ３（Ｎ３）は、図１７等から明らかなように、数値（距離差）Ｍ１（Ｎ１）と１／Ｒの整数倍の数のうち数値Ｍ１（Ｎ１）に最も近い数値Ｍ２（Ｎ２）との差分となる。解像度Ｒが８００ｄｐｉである場合には、Ｍ３＝１／７２００（Ｍ１＝１／７２００，Ｍ２＝０）、Ｎ３＝２／７２００（Ｎ１＝７／７２００，Ｎ２＝１／８００）となるため、電荷が昇順に出力されることとなる。
【０１０９】
なお、上記においては、数値Ｍ３と数値Ｎ３とを比較する方法を、距離差Ｍ１及び距離差Ｎ１のどちらも１／Ｒの倍数とならない場合に電荷の出力順を決める方法として示したが、１）のケース、すなわち、距離差Ｍ１及び距離差Ｎ１のうちのどちらか一方が１／Ｒの倍数となる場合にも、当該方法を用いることができる（以下に、その理由を示す）。
【０１１０】
すなわち、当該方法が、１）のケースで用いられた場合には、距離差Ｍ１及び距離差Ｎ１のうちのどちらか一方が１／Ｒの倍数となるため、ライン間補正が加味された位置ずれの大きさＭ３（Ｎ３）のうちのどちらかが必ず０となる。そして、当該方法によれば、ライン間補正が加味された位置ずれの大きさＭ３（Ｎ３）が０となる方の出力順（昇順又は降順）が選ばれることとなり、この結果は、１）で説明した結果と同じ結果となる。
【０１１１】
したがって、本実施の形態においては、１）２）のケースのいずれかに関わらず、前記出力順が、上述した数値Ｍ３と数値Ｎ３とを比較する方法により決定される。そして、当該方法により決定された出力順（昇順又は降順）が解像度毎に記述されたテーブル、が前記メモリに格納される。したがって、センサ制御部２０８は、数値Ｍ３が数値Ｎ３よりも小さい場合には、三つの光電変換部３００Ｒ、３００Ｇ、３００Ｂの各々から電荷を昇順に出力させ、数値Ｎ３が数値Ｍ３よりも小さい場合には、電荷を降順に出力させることとなる。図１８に、出力順を、Ｍ１〜Ｍ３及びＮ１〜Ｎ３の値と共に、解像度毎に示す。
【０１１２】
上述したように、本実施の形態に係る画像読み取り装置においては、画像の移動方向における読み取り解像度に応じて、電荷の出力順が変化するようになっている。このことにより、位置ずれの解消（前述した解像度が２４００ｄｐｉの場合や解像度が１２００ｄｐｉの場合に対応）や位置ずれの低減（前述した解像度が８００ｄｐｉの場合に対応）が実現され、画質的な問題（例えば、読み込まれた画像がコンピュータ上で再現された際に、再現された画像の画質が劣化することなど）が解消又は低減されることとなる。
【０１１３】
＝＝＝その他の実施の形態＝＝＝
以上、上記実施の形態に基づき本発明に係る画像読み取り装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１１４】
例えば、上記実施の形態に係る画像読み取り装置は、三つの光電変換部３００Ｒ、３００Ｇ、３００Ｂの各々が出力した電荷を順次受け取り、該電荷の量に基づいて画像の読み取りデータを生成する読み取りデータ生成部３０５や、読み取り解像度に反比例させて、三つの光電変換部３００Ｒ、３００Ｇ、３００Ｂの移動速度の大きさを変化させる移動制御部（センサ制御部２０８）を有することとしたが、画像読み取り装置は、必ずしもこれらを備えている必要はない。また、三つの光電変換部３００Ｒ、３００Ｇ、３００Ｂの各々は、前記移動方向と直交する直交方向に沿って複数の光電変換素子３０２Ｒ、３０２Ｇ、３０２Ｂを備えており、該複数の光電変換素子３０２Ｒ、３０２Ｇ、３０２Ｂの各々が、前記画像からの光を受光して該光の量に応じた量の電荷を定期的に出力することとしたが、かかる構成に限定されるものではない。
【０１１５】
また、上記実施の形態においては、三つの光電変換部３００Ｒ、３００Ｇ、３００ＢがＴ秒の周期で定期的に前記電荷を出力する場合に、センサ制御部２０８が、三つの光電変換部３００Ｒ、３００Ｇ、３００Ｂの各々から前記電荷を、Ｔ／３秒づつずらして順番に出力させることとしたが、これに限定されるものではない。
【０１１６】
例えば、三つの光電変換部３００Ｒ、３００Ｇ、３００ＢがＴ秒の周期で定期的に前記電荷を出力する場合に、センサ制御部２０８が、三つの光電変換部３００Ｒ、３００Ｇ、３００Ｂの各々から前記電荷を、Ｔ／６秒づつずらして順番に出力させることとしてもよい。
【０１１７】
三つの光電変換部３００Ｒ、３００Ｇ、３００Ｂが、Ｔ秒の周期で定期的に前記電荷を出力し、かつ、センサ制御部２０８が、三つの光電変換部３００Ｒ、３００Ｇ、３００Ｂの各々から前記電荷を、Ｔ／３秒づつずらして順番に出力させる場合には、前述した第２ゲート３１０の開閉が、一定周期（Ｔ／３秒周期）で行われることとなる（これに対し、例えば、Ｔ／６秒づつずらして電荷を順番に出力させるためには、第２ゲートの開閉頻度を減少させたり増加させたりする必要がある）。したがって、第２ゲート３１０の制御が簡易となる点で、上記実施の形態の方がより望ましい。
【０１１８】
また、上記実施の形態においては、後処理部２１０が、ライン間補正を行うこととしたが、本発明は、ライン間補正が行われない画像読み取り装置にも適用可能である。
【０１１９】
また、上記において、センサ制御部２０８は、数値Ｍ３が数値Ｎ３よりも小さい場合には、三つの光電変換部３００Ｒ、３００Ｇ、３００Ｂの各々から電荷を昇順に出力させ、数値Ｎ３が数値Ｍ３よりも小さい場合には、電荷を降順に出力させることとしたが、これに限定されるものではない。
【０１２０】
他の例としては、本発明がライン間補正が行われない画像読み取り装置に適用される場合であって、距離差Ｍ１が距離差Ｎ１よりも小さい場合には、センサ制御部２０８が三つの光電変換部３００Ｒ、３００Ｇ、３００Ｂの各々から電荷を昇順に出力させ、距離差Ｎ１が距離差Ｍ１よりも小さい場合には、電荷を降順に出力させる例、を挙げることができる。
【０１２１】
＝＝＝画像読み取りシステム等の構成＝＝＝
次に、本発明に係る実施の形態の一例である画像読み取りシステムの実施形態について、図面を参照しながら説明する。
【０１２２】
図１９は、画像読み取りシステムの外観構成を示した説明図である。画像読み取りシステム７００は、コンピュータ７０２と、表示装置７０４と、画像読み取り装置（複合装置１）と、入力装置７０８と、メディア読取装置７１０とを備えている。コンピュータ７０２は、本実施形態ではミニタワー型の筐体に収納されているが、これに限られるものではない。表示装置７０４は、ＣＲＴ（Cathode Ray Tube：陰極線管）やプラズマディスプレイや液晶表示装置等が用いられるのが一般的であるが、これに限られるものではない。入力装置７０８は、本実施形態ではキーボード７０８Ａとマウス７０８Ｂが用いられているが、これに限られるものではない。メディア読取装置７１０は、本実施形態ではフレキシブルディスクドライブ装置７１０ＡとＣＤ−ＲＯＭドライブ装置７１０Ｂが用いられているが、これに限られるものではなく、例えばＭＯ（Magneto Optical）ディスクドライブ装置やＤＶＤ（Digital Versatile Disk）等の他のものであっても良い。
【０１２３】
図２０は、図１９に示した画像読み取りシステムの構成を示すブロック図である。コンピュータ７０２が収納された筐体内にＲＡＭ等の内部メモリ８０２と、ハードディスクドライブユニット８０４等の外部メモリがさらに設けられている。
【０１２４】
なお、以上の説明においては、画像読み取り装置（複合装置１）が、コンピュータ７０２、表示装置７０４、入力装置７０８、及び、メディア読取装置７１０と接続されて画像読み取りシステムを構成した例について説明したが、これに限られるものではない。例えば、画像読み取りシステムが、コンピュータ７０２と画像読み取り装置（複合装置１）から構成されても良く、画像読み取りシステムが表示装置７０４、入力装置７０８及びメディア読取装置７１０のいずれかを備えていなくても良い。
【０１２５】
また、例えば、画像読み取り装置（複合装置１）が、コンピュータ７０２、表示装置７０４、入力装置７０８、及び、メディア読取装置７１０のそれぞれの機能又は機構の一部を持っていても良い。一例として、画像読み取り装置（複合装置１）が、デジタルカメラ等により撮影された画像データを記録した記録メディアを着脱するためのメディア着脱部等を有する構成としても良い。
【０１２６】
このようにして実現された画像読み取りシステムは、システム全体として従来システムよりも優れたシステムとなる。
【図面の簡単な説明】
【０１２７】
【図１】複合装置１の外観斜視図である。
【図２】スキャナ部１０の概要を説明するための斜視図である。
【図３】スキャナ部１０およびプリンタ部３０の内部機構の説明図である。
【図４】複合装置１の操作パネル２の説明図である。
【図５】本実施形態に係る複合装置１の制御部５０のシステム構成を示すブロック図である。
【図６】スキャナコントロールユニット１０４の構成の説明図である。
【図７】イメージセンサ７２Ａ及びイメージセンサ７２Ｂが設けられているスキャナ用キャリッジ６０の分解斜視図である。
【図８】イメージセンサ７２Ｂに備えられた三つの光電変換部３００Ｒ、３００Ｇ、３００Ｂの位置関係を説明するための説明図である。
【図９】イメージセンサ７２Ｂにおける電荷の移動の様子を説明するための説明図である。
【図１０】三つの光電変換部３００Ｒ、３００Ｇ、３００Ｂの電荷蓄積期間と電荷放出タイミングを説明するための説明図である。
【図１１】イメージセンサ７２Ａにおける電荷の移動の様子を説明するための説明図である。
【図１２】解像度が２４００ｄｐｉの場合に発生する位置ずれを説明するための説明図である。
【図１３】解像度が１２００ｄｐｉの場合に発生する位置ずれを説明するための説明図である。
【図１４】解像度が２４００ｄｐｉの場合に、電荷を降順に出力させたときの読み取り画素の配置を示した図である。
【図１５】解像度が１２００ｄｐｉの場合に、電荷を昇順に出力させたときの読み取り画素の配置を示した図である。
【図１６】解像度が８００ｄｐｉの場合に、電荷を昇順に出力させたときの読み取り画素の配置を示した図である。
【図１７】解像度が８００ｄｐｉの場合に、電荷を降順に出力させたときの読み取り画素の配置を示した図である。
【図１８】解像度毎に、Ｍ１〜Ｍ３，Ｎ１〜Ｎ３、及び、出力順を示した図である。
【図１９】画像読み取りシステムの外観構成を示した説明図である。
【図２０】図１９に示した画像読み取りシステムの構成を示すブロック図である。
【符号の説明】
【０１２８】
１  複合装置、２  操作パネル、３  排紙部、４  給紙部、５  原稿、
５Ａ  反射原稿、５Ｂ  透過原稿、７  排紙トレイ、８  給紙トレイ、
１０  スキャナ部、１１  原稿台、１１ａ  載置面、１２  原稿台カバー、
１４  プラテン、１５  搬送モータ、１７Ａ  搬送ローラ、
２１  ヘッド、２４  駆動機構、３０  プリンタ部、３６  搬送機構、
４１  プリンタ用キャリッジ、４２  キャリッジモータ、４４  プーリ、
４５  タイミングベルト、４６  ガイドレール、５０  制御部、
５１  リニア式エンコーダ符号板、５２  検出部、５３  紙検知センサ、
５６  ロータリ式エンコーダ、６０  スキャナ用キャリッジ、６２  駆動機構、
６４  ガイドレール、６６Ａ  反射原稿用光源、６６Ｂ  透過原稿用光源、
７０Ａ  レンズ、７０Ｂ  レンズ、
７２Ａ  イメージセンサ、７２Ｂ  イメージセンサ、
７３Ａ  反射原稿用読み取り部、７３Ｂ  透過原稿用読み取り部、
７４  タイミングベルト、７５  プーリ、７６  プーリ、７７  駆動モータ、
８０  液晶ディスプレイ、８２  電源ボタン、８３  各種設定ボタン、
８４  コピーモードボタン、８５  印刷モードボタン、８６  スキャンモードボタン、
８７Ａ  反射原稿ボタン、８７Ｂ  透過原稿ボタン、８９Ａ  ＯＫボタン、
８９Ｂ  キャンセルボタン、８９Ｄ  スタートボタン（カラー）、
８９Ｅ  スタートボタン（モノクロ）、８９Ｆ  ストップボタン、
８９Ｇ  十字ボタン、８９Ｈ  メニューボタン、
９０  ＣＰＵ、９２  メモリ、９４  制御ＡＳＩＣ、９６  ＳＤＲＡＭ、
９８  ＣＰＵバス、１０２  ＳＤＲＡＭ、１０４  スキャナコントロールユニット、
１０６  リサイズユニット、１０８  ２値化処理ユニット、
１１０  インターレース処理ユニット、１１２  イメージバッファユニット、
１１４  ＣＰＵインターフェイスユニット、１１６  ヘッドコントロールユニット、
１１８  ＵＳＢインターフェイス、１２２  リサイズバッファ、
１２４  インターレースバッファ、１２６  イメージバッファ、
１２７  イメージバッファ、１２８  ローカルバス、１３２  イメージバッファ、
１３３  イメージバッファ、１３４  イメージバッファ、
１３６  ルックアップテーブル、１４０  ホストコンピュータ、
２０２  スキャナコントローラ、２０４  モータ制御部、２０６  光源制御部、
２０８  センサ制御部、２１０  後処理部、２１８  データ出力部、
３００  光電変換部、３００Ｒ  光電変換部、３００Ｇ  光電変換部、
３００Ｂ  光電変換部、３０２  光電変換素子、３０２Ｒ  光電変換素子、
３０２Ｇ  光電変換素子、３０２Ｂ  光電変換素子、
３０４  レジスタ、３０５  読み取りデータ生成部、３０６  電荷転送部、
３０８Ｒ  第１ゲート、３０８Ｇ  第１ゲート、３０８Ｂ  第１ゲート、
３１０  第２ゲート、３１２  検出部、４００  光電変換部、
４０２  光電変換素子、４０６  電荷転送部、４１２  検出部、
７００  画像読み取りシステム、７０２  コンピュータ、７０４  表示装置、
７０８  入力装置、７０８Ａ  キーボード、７０８Ｂ  マウス、
７１０  メディア読取装置、
７１０Ａ  フレキシブルディスクドライブ装置、
７１０Ｂ  ＣＤ−ＲＯＭドライブ装置、
８０２  内部メモリ、８０４  ハードディスクドライブユニット
【図１】
2007282047.tif 000003
【図２】
2007282047.tif 000004
【図３】
2007282047.tif 000005
【図４】
2007282047.tif 000006
【図５】
2007282047.tif 000007
【図６】
2007282047.tif 000008
【図７】
2007282047.tif 000009
【図８】
2007282047.tif 000010
【図１０】
2007282047.tif 000011
【図１２】
2007282047.tif 000012
【図１３】
2007282047.tif 000013
【図１４】
2007282047.tif 000014
【図１５】
2007282047.tif 000015
【図１６】
2007282047.tif 000016
【図１７】
2007282047.tif 000017
【図１８】
2007282047.tif 000018
【図１９】
2007282047.tif 000019
【図２０】
2007282047.tif 000020
【図９】
2007282047.tif 000021
【図１１】
2007282047.tif 000022